(57)【要約】【課題】通信端末のユーザーがネットワーク上のストリーミングコンテンツに簡便にアクセスし得るシステムの提供。【解決手段】コンテンツ情報配信システムＢｓは、ＷＷＷ送受信部１０，検索条件制御部１１，シーケンサ１２，コンテンツ検索部１３，データベース１４を備える。コンテンツ検索部１３はネットワークＮＷ上のコンテンツ配信局Ｃ１〜Ｃｎが配信するストリーミングコンテンツを検索し、その検索情報をデータベース１４に格納する。シーケンサ１２は、通信端末Ｔ１から発せられた配信要求ＲＱＴに応えて、データベース１４を参照し、複数種のストリーミングコンテンツの接続先情報ＡＤを取得して通信端末Ｔ１に宛てて送出する。通信端末Ｔ１のコンテンツ再生手段２１は、シーケンサ１２から受信した接続先情報ＡＤを利用してコンテンツ配信局Ｃ１〜Ｃｎにアクセスし、複数種のストリーミングコンテンツを受信し再生できる。【選択図】　　　　図１
2004023245.tif 000002
【特許請求の範囲】
【請求項１】
ネットワーク上のストリーミングコンテンツに関する情報を配信するコンテンツ情報配信システムであって、
前記ストリーミングコンテンツに関する情報を格納するデータベースと、
前記ネットワーク上の通信端末から発せられた配信要求に応えて、前記データベースを参照し、複数種の前記ストリーミングコンテンツの接続先情報を取得して前記通信端末に宛てて送出するシーケンサと、
を備えることを特徴とするコンテンツ情報配信システム。
【請求項２】
請求項１記載のコンテンツ情報配信システムであって、
前記ネットワーク上の複数の前記ストリーミングコンテンツを検索して得た検索情報を前記データベースに格納するコンテンツ検索部を更に備え、
前記シーケンサは、前記検索情報を参照し、前記接続先情報を取得して前記通信端末に宛てて送出する、コンテンツ情報配信システム。
【請求項３】
請求項２記載のコンテンツ情報配信システムであって、前記配信要求を発した前記通信端末が指定する検索条件に従って前記ストリーミングコンテンツを検索するように前記コンテンツ検索部を制御する検索条件制御部、を更に備え、
前記シーケンサは、当該検索条件に従って前記検索情報を参照して前記ストリーミングコンテンツの前記接続先情報を送出する、
コンテンツ情報配信システム。
【請求項４】
請求項１〜３の何れか１項に記載のコンテンツ情報配信システムであって、前記シーケンサは、前記複数種のストリーミングコンテンツの前記各接続先情報を所定の順次で送出する、コンテンツ情報配信システム。
【請求項５】
請求項１〜４の何れか１項に記載のコンテンツ情報配信システムであって、前記通信端末から発せられた配信要求に応えて、前記接続先情報を含むウェブページを発信するＷＷＷ送受信部、を備えるコンテンツ情報配信システム。
【請求項６】
請求項５記載のコンテンツ情報配信システムであって、
当該コンテンツ情報配信システムを利用するユーザーの登録情報を格納する登録情報データベースと、
前記配信要求を発した前記通信端末の認証結果に応じて前記登録情報を参照し、前記各ユーザー毎に個別の前記ウェブページを動的に生成するウェブページ動的生成部と、
を更に備えるコンテンツ情報配信システム。
【発明の詳細な説明】
【０００１】
【発明の属する技術分野】
本発明は、インターネットなどのネットワークを通じて、動画や音声などのストリーミングコンテンツに関する情報を配信するコンテンツ情報配信システムに関する。
【０００２】
【従来の技術】
近年、インターネットやイントラネットなどのＩＰ（Ｉｎｔｅｒｎｅｔ　Ｐｒｏｔｏｃｏｌ）ネットワークにおいて、通信端末（クライアント）からの配信要求に応えてサーバが映像や音楽、音声、ＣＧ（コンピュータ・グラフィックス）動画像などのストリーミングコンテンツを配信し、前記通信端末は受信したストリーミングコンテンツをリアルタイムに再生するストリーミング配信技術が普及しており、ストリーミングコンテンツを配信するサーバの数も増大している。従って、通信端末のユーザーによるストリーミングコンテンツの選択幅が広がる一方、ネットワーク上に分散している膨大な数のストリーミングコンテンツの中から所望のコンテンツを検索する労力が増している現状がある。
【０００３】
また、通信端末は、ストリーミングコンテンツを再生する専用の再生ソフトウェアを搭載する。ユーザーは、その再生ソフトウェアを起動し操作して目的のストリーミングコンテンツをダウンロードするが、興味を持った複数種のストリーミングコンテンツを連続的に再生させたい場合、各ストリーミングコンテンツの再生が終了する度に、次のストリーミングコンテンツにアクセスし、それをダウンロードして再生させるという煩雑で面倒な操作が必要であった。
【０００４】
【発明が解決しようとする課題】
以上の状況などに鑑みて本発明が解決しようとする課題は、通信端末のユーザーがネットワーク上の複数種のストリーミングコンテンツに簡便にアクセスし得るコンテンツ情報配信システムを提供する点にある。
【０００５】
【課題を解決するための手段】
上記課題を解決するため、請求項１に係る発明は、ネットワーク上のストリーミングコンテンツに関する情報を配信するコンテンツ情報配信システムであって、前記ストリーミングコンテンツに関する情報を格納するデータベースと、前記ネットワーク上の通信端末から発せられた配信要求に応えて、前記データベースを参照し、複数種の前記ストリーミングコンテンツの接続先情報を取得して前記通信端末に宛てて送出するシーケンサと、を備えることを特徴とするものである。
【０００６】
請求項２に係る発明は、請求項１記載のコンテンツ情報配信システムであって、前記ネットワーク上の複数の前記ストリーミングコンテンツを検索して得た検索情報を前記データベースに格納するコンテンツ検索部を更に備え、前記シーケンサは、前記検索情報を参照し、前記接続先情報を取得して前記通信端末に宛てて送出するものである。
【０００７】
請求項３に係る発明は、請求項２記載のコンテンツ情報配信システムであって、前記配信要求を発した前記通信端末が指定する検索条件に従って前記ストリーミングコンテンツを検索するように前記コンテンツ検索部を制御する検索条件制御部、を更に備え、前記シーケンサは、当該検索条件に従って前記検索情報を参照して前記ストリーミングコンテンツの前記接続先情報を送出するものである。
【０００８】
請求項４に係る発明は、請求項１〜３の何れか１項に記載のコンテンツ情報配信システムであって、前記シーケンサは、前記複数種のストリーミングコンテンツの前記各接続先情報を所定の順次で送出するものである。
【０００９】
請求項５に係る発明は、請求項１〜４の何れか１項に記載のコンテンツ情報配信システムであって、前記通信端末から発せられた配信要求に応えて、前記接続先情報を含むウェブページを発信するＷＷＷ送受信部、を備えたものである。
【００１０】
そして、請求項６に係る発明は、請求項５記載のコンテンツ情報配信システムであって、当該コンテンツ情報配信システムを利用するユーザーの登録情報を格納する登録情報データベースと、前記配信要求を発した前記通信端末の認証結果に応じて前記登録情報を参照し、前記各ユーザー毎に個別の前記ウェブページを動的に生成するウェブページ動的生成部と、を更に備えたものである。
【００１１】
【発明の実施の形態】
以下、本発明の種々の実施形態について説明する。
【００１２】
第１の実施形態．
図１は、本発明の第１の実施形態に係るコンテンツ情報配信システムを概略的に示す機能ブロック図である。このコンテンツ情報配信システムＢｓ（以下、単に「基地局」と呼ぶ。）は、インターネット技術を用いて構築されたネットワークＮＷ，ＮＷを介して、複数のコンテンツ配信局Ｃ１，Ｃ２，Ｃ３，…，Ｃｎと通信端末Ｔ１とにアクセスすることができる。
【００１３】
基地局Ｂｓは、コンテンツ配信局Ｃ１〜Ｃｎが提供するストリーミングコンテンツに関する情報をウェブページを通じて通信端末Ｔ１などに提供するものである。
【００１４】
また、コンテンツ配信局Ｃ１〜Ｃｎは、それぞれ、映像（ビデオ）や音声（オーディオ）、またはこれら映像や音声と文字・静止画とを組み合わせたストリーミングコンテンツを配信している。「ストリーミング」とは、動画や音声などのデータをダウンロードしながらリアルタイムに再生する処理形態を意味する。これらコンテンツ配信局Ｃ１〜Ｃｎは、それぞれ、ニュース番組やスポーツ番組や音楽番組などの、単数または複数の種類のストリーミングコンテンツを提供しており、各ストリーミングコンテンツのファイルには、アクセスのために、ネットワークＮＷ上の所在を示すＵＲＬ（Ｕｎｉｆｏｒｍ　Ｒｅｓｏｕｒｃｅ　Ｌｏｃａｔｏｒ）やＩＰアドレスなどの接続先情報が関連付けられている。
【００１５】
そして、通信端末Ｔ１は、各ストリーミングコンテンツの接続先情報を指定して、コンテンツ配信局Ｃ１〜Ｃｎが提供するストリーミングコンテンツにアクセスしてこれをダウンロードし、コンテンツ再生手段２１を用いて再生する機能を有する。
【００１６】
前記基地局Ｂｓは、ＷＷＷ送受信部（ＷＷＷサーバ）１０、検索条件制御部１１、シーケンサ１２、コンテンツ検索部１３およびデータベース１４を備えて構成されている。前記ＷＷＷ送受信部１０は、主にＨＴＴＰ（ハイパーテキスト転送プロトコル）を用いて、ＨＴＭＬ（ＨｙｐｅｒＴｅｘｔ　Ｍａｒｋｕｐ　Ｌａｎｇｕａｇｅ；ハイパーテキストマークアップ言語）やＸＭＬ（ｅＸｔｅｎｓｉｂｌｅ　Ｍａｒｋｕｐ　Ｌａｎｇｕａｇｅ；拡張可能なマークアップ言語）などのページ記述言語で記述したウェブページを発信する機能を有する。発信するウェブページの中には、静止画像やテキストやストリーミングコンテンツの接続先情報を含めたり、アプレット（小規模なプログラム）やスクリプトなどの実行ファイルをダウンロードさせて実行させる命令を含めたりすることができる。通信端末Ｔ１は、ＷＷＷブラウザ２０を通じて基地局ＢｓのＷＷＷ送受信部１０にアクセスして接続を確立し、配信要求ＲＱＴを発してウェブページＷＰを取得し表示できる。この結果、通信端末Ｔ１のユーザーは、ＷＷＷブラウザ２０が表示するウェブページを閲覧できる。
【００１７】
前記データベース１４は、ネットワークＮＷ上に分散しているストリーミングコンテンツに関する情報（タイトル，内容，分野，接続先情報など；以下「コンテンツ情報」と呼ぶ。）を格納している。また、前記コンテンツ検索部（検索エンジン）１３は、ネットワークＮＷ上に分散しているストリーミングコンテンツを検索する機能を有する。このコンテンツ検索部１３は、多数のコンテンツ配信局Ｃ１〜Ｃｎが提供するコンテンツ情報を検索して得た検索情報をデータベース１４に格納する。コンテンツ検索部１３は、前記コンテンツ情報を直接検索できるが、ネットワークＮＷ上の他の検索エンジンを利用してその種の検索情報を取得することも可能である。
【００１８】
また、前記シーケンサ１２は、通信端末Ｔ１から発せられた配信要求に応えて、前記データベース１４に蓄積されたコンテンツ情報を参照し、所定のプログラムに従って複数種のストリーミングコンテンツの接続先情報ＡＤを取得する機能と、取得した各ストリーミングコンテンツの接続先情報ＡＤを通信端末Ｔ１に宛てて所定の順次で送出（プッシュ）する機能とを有する。通信端末Ｔ１では、コンテンツ再生手段２１は、シーケンサ１２から受信した接続先情報ＡＤを用いて、コンテンツ配信局Ｃｋ（ｋ＝１〜ｎ）が提供するストリーミングコンテンツにアクセスし、これをダウンロードして再生することができる。シーケンサ１２は、通信端末Ｔ１における各ストリーミングコンテンツの再生終了時に合わせて、次のストリーミングコンテンツの接続先情報ＡＤを通信端末Ｔ１に送出する機能を有する。このように、基地局Ｂｓで定めた順番に従って、各ストリーミングコンテンツの接続先情報ＡＤが通信端末Ｔ１に順次送出される。また、コンテンツ再生手段２１は、受信した接続先情報ＡＤに従ってストリーミングコンテンツをダウンロードして再生する機能を有する。従って、ユーザーは、特別の操作を要さずに、基地局Ｂｓが提供するプログラムに従って、様々なストリーミングコンテンツを楽しむことができる。
【００１９】
以上の構成を有する基地局（コンテンツ情報配信システム）Ｂｓの動作例を、図２のフローチャートを参照しつつ以下に説明する。
【００２０】
先ず、ステップＳ１では、通信端末Ｔ１のユーザーは、基地局Ｂｓにアクセスする。具体的には、通信端末Ｔ１のユーザーがＷＷＷブラウザ２０を起動してＵＲＬを指定することで、ＷＷＷブラウザ２０は、基地局ＢｓのＷＷＷ送受信部１０との間の接続を確立し、必要に応じて認証を受けた後に、ウェブページの配信要求ＲＱＴを発する。次いで、ＷＷＷ送受信部１０は、前記配信要求ＲＱＴに応えて、予め用意したウェブページＷＰをＷＷＷブラウザ２０に送出する（ステップＳ２）。次いで、ＷＷＷブラウザ２０がＷＷＷ送受信部１０から受信したウェブページＷＰを受信して表示することで、通信端末Ｔ１のユーザーはそのウェブページＷＰを閲覧する（ステップＳ３）。
【００２１】
図３は、前記ウェブページＷＰを表示するＷＷＷブラウザ２０の表示画面３０の一例を示す模式図である。図３中、符号３１は、前記ステップＳ１でＷＷＷ送受信部１０のＵＲＬ（＝”ｈｔｔｐ：／／ｗｗｗ．ｍｅｇａｆｕｓｉｏｎ．ｃｏ．ｊｐ／ｃｏｎｔｅｎｔｓ／ｃ＿ｉｎｄｅｘ．ｈｔｍｌ”）を指定するためのアドレス入力ボックスを示している。ユーザーは、前記ステップＳ３でウェブページＷＰを閲覧した後に、ストリーミングコンテンツの配信条件を条件入力ボックス３４に入力し、コンテンツ情報を取得できるが、ユーザーがその条件入力ボックス３４に配信条件を入力しない場合は、以下に説明するように基地局Ｂｓ側で用意したプログラムに従ってコンテンツ情報が配信される。
【００２２】
ステップＳ４で配信条件の入力が無かったと判定された場合、ステップＳ７に処理が移行する。ステップＳ７では、シーケンサ１２は、ＷＷＷ送受信部１０から、通信端末Ｔ１に関する通信情報（ＩＰアドレス，ポート番号など）を受けて、この通信情報をトリガーとしてデータベース１４に格納されている上記コンテンツ情報を参照し、予め定めたプログラムに沿った複数種のストリーミングコンテンツを選択する。例えば、スポーツ番組のプログラムの場合は、スポーツ番組を提供する複数種のストリーミングコンテンツが選択され、時事番組のプログラムであれば、その種のストリーミングコンテンツが選択される。
【００２３】
次のステップＳ８では、シーケンサ１２は、それらストリーミングコンテンツの接続先情報ＡＤを、前記通信情報で指定される通信端末Ｔ１の宛先に順次送出（プッシュ）すると共に、選択したストリーミングコンテンツのサムネイル情報を通信端末Ｔ１に宛てて送出する。
【００２４】
次のステップＳ９では、通信端末Ｔ１のＷＷＷブラウザ２０は、受信した接続先情報ＡＤを取り込んでコンテンツ再生手段２１に受け渡すと共に、受信したサムネイル情報をサムネイル形式で表示する。図３に例示するように、表示画面３０中の左側領域３２には、前記サムネイル情報に含まれるサムネイル画像（静止画像）３２Ａ，３２Ｂ，３２Ｃ，…と、各サムネイル画像のタイトル「サッカー」，「野球」，「柔道」，…とが表示される。それらサムネイル画像３２Ａ，３２Ｂ，３２Ｃ，…は、基地局Ｂｓで選択されたストリーミングコンテンツの一場面を抽出したものである。
【００２５】
そして、コンテンツ再生手段２１は、シーケンサ１２から受信した接続先情報ＡＤで指定されるコンテンツ配信局Ｃｋ（ｋ＝１〜ｎ）にアクセスし、配信要求ＲＱＴを発して、このコンテンツ配信局ＣｋからストリーミングコンテンツＳＤをダウンロードして再生する（ステップＳ１０）。図３に例示するように、ウェブページのコンテンツ表示部３３には、サムネイル画像３２Ａ，３２Ｂ，３２Ｃ，…の並ぶ順番で、コンテンツ表示部３３に、対応するストリーミング動画像が順次再生される。尚、ＧＵＩ（グラフィカル・ユーザー・インターフェース）を通して、そのストリーミングコンテンツの再生の中止、再生速度を早めること（早送り再生）、再生位置を巻き戻すことを適宜行うことができる。このように、ユーザーは、特別の操作を要さずに、ストリーミングコンテンツを、基地局Ｂｓのプログラムに従った順番で楽しむことができる。
【００２６】
次に、ユーザーがコンテンツ情報の変更を望む場合は、ユーザーが望む配信条件を基地局Ｂｓに指示できる。かかる場合、上記ステップＳ４でユーザーは配信条件を入力すればよい。図３に示す例では、配信条件として「ドキュメンタリー」が入力されている。図１に示すように、その配信条件ＣＩは、通信端末Ｔ１から発せられＷＷＷ送受信部１０で受信された後に、シーケンサ１２と検索条件制御部１１に出力される。
【００２７】
次のステップＳ５では、検索条件制御部１１は、配信条件ＣＩに基づいて検索条件を生成し、コンテンツ検索部１３に与えて当該検索条件に適合するストリーミングコンテンツを検索させる。検索条件制御部１１は、その結果として取得した検索情報をデータベース１４に格納する（ステップＳ６）。
【００２８】
次のステップＳ７では、シーケンサ１２は、データベース１４に格納されたコンテンツ情報を参照して、配信条件ＣＩに適合するプログラムに沿った複数種のストリーミングコンテンツを選択する。その後、上述した通り、シーケンサ１２から各ストリーミングコンテンツの接続先情報ＡＤが順次送出され（ステップＳ８）、通信端末Ｔ１のコンテンツ再生手段２１は、コンテンツ配信局Ｃｋにアクセスしてストリーミングコンテンツを取得し再生する（ステップＳ９，Ｓ１０）。
【００２９】
以上のように本実施形態に係るコンテンツ情報配信システムによれば、通信端末Ｔ１のユーザーは、ネットワークＮＷ上に分散している膨大な数のストリーミングコンテンツの中から所望のものを検索する労力を要さずに、基地局Ｂｓのプログラムに沿った複数種のストリーミングコンテンツを簡単容易に取得し、順番に楽しむことができる。
【００３０】
第２の実施形態．
次に、本発明の第２の実施形態に係るコンテンツ情報配信システムについて説明する。図４は、本実施形態に係るコンテンツ情報配信システムＢｓを概略的に示す機能ブロック図である。
【００３１】
このコンテンツ情報配信システムＢｓ（以下、単に「基地局」と呼ぶ。）は、上記第１の実施形態に係る基地局Ｂｓの構成に加えて、更に、ウェブページ動的生成部４１，登録情報データベース４２および認証課金処理部４３を備えて構成される。
【００３２】
前記登録情報データベース４２は、本コンテンツ情報配信システムを利用するユーザーの登録情報を格納している。ウェブページ動的生成部４１は、ＷＷＷ送受信部１０からの要求に応じて、登録情報データベース４２の登録情報を参照し、各ユーザー毎に個別のウェブページを動的に生成してＷＷＷ送受信部１０に出力する機能を有する。ウェブページ動的生成部４１が生成するウェブページは、上記ＨＴＭＬやＸＭＬなどのページ記述言語で記述されたものである。
【００３３】
また、前記認証課金処理部４３は、本コンテンツ情報配信システムを利用するユーザーを認証し、利用状況に応じて課金するシステムである。
【００３４】
以上の構成を有する基地局（コンテンツ情報配信システム）Ｂｓの動作例を、図５のフローチャートを参照しつつ以下に説明する。
【００３５】
先ず、ステップＳ２０では、通信端末Ｔ１のユーザーは、基地局Ｂｓにアクセスして認証を受ける。具体的には、通信端末Ｔ１のユーザーがＷＷＷブラウザ２０を起動してＵＲＬを指定することで、ＷＷＷブラウザ２０は、ＷＷＷ送受信部１０との間の接続を確立し、ウェブページの配信要求ＲＱＴを発する。次いで、基地局Ｂｓの認証課金処理部４３は、ＷＷＷ送受信部１０を介して、暗号を利用した認証用のプロトコルを使用し、当該ユーザーが利用を許可された者であることを認証する認証処理を実行する。ここで、認証課金処理部４３は、通信端末Ｔ１のユーザーに対してＩＤとパスワードの入力を要求してもよいし、通信端末Ｔ１に予め保存されている登録情報を読み出してユーザーを自動認識する認証処理を行ってもよい。認証課金処理部４３が認証に失敗した場合は、その旨を通信端末Ｔ１に通知して処理を終了し、その認証が成功した場合に次のステップＳ２１へ処理を移行させる。
【００３６】
次に、ＷＷＷ送受信部１０は、ウェブページ動的生成部４１にウェブページの生成要求を発すると共に、認証を受けたユーザーの認証情報を受け渡す。これにより、ウェブページ動的生成部４１は、登録情報データベース４２の登録情報を参照し（ステップＳ２１）、前記認証情報に適合する当該登録情報を読み出してユーザー専用のウェブページＷＰを動的に生成してＷＷＷ送受信部１０に返す（ステップＳ２２）。次いで、ＷＷＷ送受信部１０は、前記ウェブページＷＰを通信端末Ｔ１のＷＷＷブラウザ２０に宛てて送出する（ステップＳ２３）。そして、ＷＷＷブラウザ２０がＷＷＷ送受信部１０から受信したウェブページＷＰを受信して表示することで、通信端末Ｔ１のユーザーは、図３に示したようなレイアウトを更にカスタマイズしたウェブページＷＰを閲覧することになる（ステップＳ２４）。
【００３７】
このように、本実施形態では、各ユーザー毎に個別のウェブページを動的に生成して発信できるため、各ユーザーの趣味趣向に合わせた利便性の高い情報配信サービスを提供できる。
【００３８】
次のステップＳ２５では、上記第１の実施形態の場合のステップＳ４と同様に、ユーザーによる配信条件の入力の有無が判定される。配信条件の入力が無かった場合はステップＳ２８以後に処理が移行し、配信条件の入力が有った場合にはステップＳ２６以後に処理が移行する。配信条件の入力が無かった場合、ステップＳ２８において、シーケンサ１２は、ＷＷＷ送受信部１０から、通信端末Ｔ１に関する通信情報（ＩＰアドレス，ポート番号）を受けて、データベース１４に格納されているコンテンツ情報を参照し（ステップＳ２８）、登録情報データベース４２の登録情報を参照することで（ステップＳ２９）、当該ユーザー専用の所定のプログラムに沿った複数種のストリーミングコンテンツが選択される。そして、シーケンサ１２は、選択された各ストリーミングコンテンツの接続先情報ＡＤを通信端末Ｔ１に宛てて順次送出（プッシュ）すると共に、選択されたストリーミングコンテンツのサムネイル情報を通信端末Ｔ１に宛てて送出する（ステップＳ３０）。
【００３９】
次のステップＳ３１では、通信端末Ｔ１のＷＷＷブラウザ２０は、受信した接続先情報ＡＤを取り込んでコンテンツ再生手段２１に受け渡すと共に、受信したサムネイル情報をサムネイル形式で表示する。そして、コンテンツ再生手段２１は、接続先情報ＡＤで指定されるコンテンツ配信局Ｃｋ（ｋ＝１〜ｎ）にアクセスし、配信要求ＲＱＴを発して、このコンテンツ配信局ＣｋからストリーミングコンテンツＳＤをダウンロードして再生する（ステップＳ３２）。
【００４０】
また、ユーザーがコンテンツ情報の変更を望む場合、上記第１の実施形態の場合のステップＳ４と同様に、ユーザーは配信条件を入力すればよい。配信条件の入力が有ったと判定された場合（ステップＳ２５）、図４に示すように、通信端末Ｔ１から発信された配信条件ＣＩは、ＷＷＷ送受信部１０で受信された後に、シーケンサ１２と検索条件制御部１１に出力される。
【００４１】
次のステップＳ２６では、検索条件制御部１１は、配信条件ＣＩに基づいて検索条件を生成し、コンテンツ検索部１３に与えて当該検索条件に適合するストリーミングコンテンツを検索させる。検索条件制御部１１は、その結果として取得した検索情報をデータベース１４に格納する（ステップＳ２７）。
【００４２】
次いで、シーケンサ１２は、データベース１４に格納されたコンテンツ情報を参照し（ステップＳ２８）、登録情報を参照して（ステップＳ２９）、配信条件ＣＩに適合するプログラムに沿った複数種のストリーミングコンテンツを選択する。その後、上述した通り、シーケンサ１２から接続先情報ＡＤが順次送出され（ステップＳ３０）、通信端末Ｔ１のコンテンツ再生手段２１はコンテンツ配信局Ｃｋにアクセスしてストリーミングコンテンツを取得し再生する（ステップＳ３１，Ｓ３２）。
【００４３】
【発明の効果】
以上の如く、本発明の請求項１に係るコンテンツ情報配信システムによれば、通信端末は、前記シーケンサから受信した接続先情報を利用してコンテンツ配信局にアクセスし、複数種のストリーミングコンテンツを受信し再生できる。よって、通信端末のユーザーは、ストリーミングコンテンツに簡単容易にアクセスできる。
【００４４】
請求項２によれば、ネットワーク上に分散している膨大な数のストリーミングコンテンツの中から所望のものを検索する労力を要さずに、ストリーミングコンテンツに簡単容易にアクセスできる。
【００４５】
請求項３によれば、コンテンツ情報配信システムは、通信端末が指定した検索条件を反映したストリーミングコンテンツの接続先情報を配信できるため、ユーザーは所望のストリーミングコンテンツに、検索する労力無しに簡便にアクセスできる。
【００４６】
請求項４によれば、通信端末では、受信した接続先情報の順番に従ってストリーミングコンテンツに順次アクセスし、これを自動的にダウンロードして再生できることから、ユーザーは、特別の操作を要さずに、様々なストリーミングコンテンツをその順番で簡便に楽しむことができる。
【００４７】
請求項５によれば、通信端末は、ＷＷＷクライアント（ＷＷＷブラウザ）を操作してコンテンツ情報配信システムにアクセスし、接続先情報を含むウェブページを取得してストリーミングコンテンツに簡便にアクセスできる。
【００４８】
請求項６によれば、各ユーザー毎に個別のウェブページを動的に生成して発信できるため、各ユーザーの趣味趣向に合わせた利便性の高い情報配信サービスを提供できる。
【図面の簡単な説明】
【図１】本発明の第１の実施形態に係るコンテンツ情報配信システムを概略的に示す機能ブロック図である。
【図２】第１の実施形態に係るコンテンツ情報配信システムの動作例を示すフローチャートである。
【図３】ＷＷＷブラウザの表示画面の一例を示す模式図である。
【図４】本発明の第２の実施形態に係るコンテンツ情報配信システムを概略的に示す機能ブロック図である。
【図５】第２の実施形態に係るコンテンツ情報配信システムの動作例を示すフローチャートである。
【符号の説明】
Ｂｓ　コンテンツ情報配信システム（基地局）
Ｔ１　通信端末
Ｃ１〜Ｃｎ　コンテンツ配信局
１０　ＷＷＷ送受信部
１１　検索条件制御部
１２　シーケンサ
１３　コンテンツ検索部
１４　データベース
２０　ＷＷＷブラウザ
２１　コンテンツ再生手段
４１　ウェブページ動的生成部
４２　登録情報データベース
４３　認証課金処理部
【図１】
2004023245.tif 000003
【図２】
2004023245.tif 000004
【図３】
2004023245.tif 000005
【図４】
2004023245.tif 000006
【図５】
2004023245.tif 000007